(57)【要約】【課題】既存の電気錠システムを生かして現在の電気錠や扉の状態を取得し外部出力できる電気錠システム用アダプタを提供する。【解決手段】電気錠システム用アダプタ１は、電気錠１２と電気錠制御盤１３との間に配線１５を介して接続され、電気錠制御盤１３と電気錠１２との間で通信される通電状態信号、施解錠状態信号、扉開閉状態信号を読み取り、この読み取った各種状態信号に基づく状態情報を取得し、取得した状態情報を外部機器に出力する。【選択図】図１
2009138464.tif 000002
【特許請求の範囲】
【請求項１】
錠前を電気的に施解錠制御する既存の電気錠システムに用いられる電気錠システム用アダプタであって、
前記電気錠システムから電気錠の施解錠状態や扉の開閉状態を示す状態信号を取得して現在の前記電気錠や前記扉の状態を判別し、この判別結果に基づく状態情報を外部出力することを特徴とする電気錠システム用アダプタ。
【請求項２】
錠前を電気的に施解錠制御する既存の電気錠システムにおける電気錠と該電気錠を駆動制御する電気錠制御盤との接続の間に配設される電気錠システム用アダプタであって、
前記電気錠と前記電気錠制御盤との間で通信される前記電気錠の施解錠状態や前記扉の開閉状態を示す状態信号を読み取り、該読み取った状態信号に基づき得られた前記電気錠や前記扉の状態を示す状態情報を外部出力することを特徴とする電気錠システム用アダプタ。
【請求項３】
錠前を電気的に施解錠制御する制御部を錠本体の内部に組み込んだ既存の電気錠システムにおける電気錠装置と該電気錠装置を施解錠するための施解錠操作器との接続の間に配設される電気錠システム用アダプタであって、
前記電気錠装置と前記施解錠操作器との間で通信される施解錠操作状態を示す状態信号と前記電気錠装置に記憶される前記電気錠の施解錠状態や前記扉の開閉状態を示す状態信号を読み取り、該読み取った状態信号に基づき得られた前記電気錠や前記扉の状態を示す状態情報を外部出力することを特徴とする電気錠システム用アダプタ。
【発明の詳細な説明】
【技術分野】
【０００１】
本発明は、既存の電気錠システムに用い、現在の錠前の施解錠状態や扉の開閉状態を取得して外部出力できる電気錠システム用アダプタに関するものである。
【背景技術】
【０００２】
従来より、例えば商業ビルや公共施設または一般住宅等の扉には、不審者の侵入を回避するため、防犯性に富んだ電気錠システムが設けられている。この種の電気錠システムは、特定の施解錠信号により、例えばモータやソレノイドなどの駆動手段を駆動してデッドボルトを電気的に進退させ、錠の施解錠を行っている（例えば下記特許文献１）。
【０００３】
また、この種の電気錠システムを導入するにあたり、導入箇所によっては電気錠を制御するための電気錠制御盤を設置するスペースが確保できない場合があるため、電気錠システムを統括制御するための制御手段が錠本体の内部に組み込まれた電気錠システムも提供されている（例えば下記特許文献２）。
【特許文献１】特開平１０−０２５９３５号公報
【特許文献２】特開２００４−２８７９３０号公報
【発明の開示】
【発明が解決しようとする課題】
【０００４】
しかしながら、従来からある既存の電気錠システムでは、現在の電気錠の施解錠状態や扉の開閉状態などの状態情報を取得し、この取得した状態情報を外部に出力するための手段を具備しておらず、現在の錠前の施解錠状態や扉の開閉状態を取得して外部出力するための手段を備えた電気錠システムを開発する場合、施解錠状態や扉開閉状態を取得し、この取得した状態情報を外部出力する手段を含めて電気錠システム全体の開発を行わなければならないため、莫大な開発費用と開発期間が掛かるという問題があった。
【０００５】
そこで、本発明は上記問題点に鑑みてなされたものであり、既存の電気錠システムに用いて、現在の錠前の施解錠状態や扉の開閉状態を取得して外部出力することのできる電気錠システム用アダプタを提供することを目的とするものである。
【課題を解決するための手段】
【０００６】
上記した目的を達成するために、請求項１記載の電気錠システム用アダプタは、錠前を電気的に施解錠制御する既存の電気錠システムに用いられる電気錠システム用アダプタであって、
前記電気錠システムから電気錠の施解錠状態や扉の開閉状態を示す状態信号を取得して現在の前記電気錠や前記扉の状態を判別し、この判別結果に基づく状態情報を外部出力することを特徴とする。
【０００７】
請求項２記載の電気錠システム用アダプタは、錠前を電気的に施解錠制御する既存の電気錠システムにおける電気錠と該電気錠を駆動制御する電気錠制御盤との接続の間に配設される電気錠システム用アダプタであって、
前記電気錠と前記電気錠制御盤との間で通信される前記電気錠の施解錠状態や前記扉の開閉状態を示す状態信号を読み取り、該読み取った状態信号に基づき得られた前記電気錠や前記扉の状態を示す状態情報を外部出力することを特徴とする。
【０００８】
請求項３記載の電気錠システム用アダプタは、錠前を電気的に施解錠制御する制御部を錠本体の内部に組み込んだ既存の電気錠システムにおける電気錠装置と該電気錠装置を施解錠するための施解錠操作器との接続の間に配設される電気錠システム用アダプタであって、
前記電気錠装置と前記施解錠操作器との間で通信される施解錠操作状態を示す状態信号と前記電気錠装置に記憶される前記電気錠の施解錠状態や前記扉の開閉状態を示す状態信号を読み取り、該読み取った状態信号に基づき得られた前記電気錠や前記扉の状態を示す状態情報を外部出力することを特徴とする。
【発明の効果】
【０００９】
本発明の電気錠システム用アダプタによれば、電気錠システム全体の開発をすることなく、既存の電気錠システムを生かして現在の電気錠や扉の状態を取得し外部出力することができる。また、既存の電気錠システムから取得した状態情報を利用して外部機器の各種制御を行うことができる。
【発明を実施するための最良の形態】
【００１０】
以下、本発明を実施するための最良の形態について、添付した図面を参照しながら詳細に説明する。図１は本発明に係る第１形態の電気錠システム用アダプタを採用した電気錠システムの概略構成図、図２は本発明に係る第１形態の電気錠システム用アダプタの概略ブロック図、図３（ａ）〜（ｃ）は同電気錠システム用アダプタの処理動作を説明するためのフローチャート図、図４は本発明に係る第２形態の電気錠システム用アダプタを採用した電気錠システムの概略構成図、図５は本発明に係る第２形態の電気錠システム用アダプタの概略ブロック図、図６、図７は同電気錠システム用アダプタの処理動作を説明するためのフローチャート図である。
【００１１】
本例の電気錠システム用アダプタは、既存の電気錠システムに配設され、システム間で通信される各種信号などを読み取ることで現在の錠前の施解錠状態や扉の開閉状態を状態情報として取得し、この取得した状態情報を外部出力するためのものである。
【００１２】
まず、図１〜３を参照しながら、第１形態の電気錠システム用アダプタ１について説明する。第１形態の電気錠システム用アダプタは、室内の所定箇所に設置される電気錠制御盤１３からの制御によって電気錠１２を施解錠制御する構成の既存の電気錠システム１０に配設される。
【００１３】
第１形態の電気錠システム用アダプタ１が配設される既存の電気錠システム１０について説明する。図１に示すように、電気錠システム１０は、扉１１に設けられた錠前の施解錠機構（例えば扉枠の係合穴に対して進退するデッドボルトをモーターやソレノイドで駆動する機構）を施解錠するとともに、現在の錠前の状態を示す錠状態信号を出力する電気錠１２と、外部からの施錠指令又は解除指令により電気錠１２を制御するべく室内の所定箇所（例えば壁面など）に配設された電気錠制御盤１３とが通電金具１４を介して配線接続されている。また、電気錠制御盤１３には、例えば商用電源（ＡＣ１００Ｖ）から電源が供給され、電気錠制御盤１３を介して電気錠１２に電源が供給される。さらに、電気錠１２は、扉１１の開扉又は閉扉を検知する扉開閉検知手段１２ａを備えている。なお、扉開閉検知手段１２ａは、例えばマイクロスイッチやリードスイッチなどの検知センサで構成され、電気錠１２に備えた構成に限定されるものではない。
【００１４】
そして、第１形態の電気錠システム用アダプタ１は、電気錠制御盤１３と電気錠１２との間で通信される各種信号に基づく状態信号を読み取るため、電気錠１２と電気錠制御盤１３との間に配線１５を介して接続される。
【００１５】
次に、図２を参照しながら、本例の第１形態の電気錠システム用アダプタ１の構成について説明する。電気錠システム用アダプタ１は、状態信号読取部２、判別部３、記憶部４、通信部５を備えて構成される。以下、各構成要件について説明する。
【００１６】
状態信号読取部２は、電気錠制御盤１３と電気錠１２との間の各種状態信号を読み取るための入出力インターフェースであり、通電状態信号読取手段２ａ、施解錠状態信号読取手段２ｂ、扉開閉状態信号読取手段２ｃを備えて構成される。
【００１７】
通電状態信号読取手段２ａは、電気錠制御盤１３から電気錠１２に対して施解錠時に通電される通電状態に基づく通電状態信号（施錠通電時は施錠通電状態信号、解錠通電時は解錠通電状態信号）を読み取り、この読み取った通電状態信号を判別部３と記憶部４に出力している。
【００１８】
施解錠状態信号読取手段２ｂは、電気錠１２から電気錠制御盤１３に対して出力される現在の錠前の状態に基づく施解錠状態信号（施錠状態時は施錠状態信号、解錠状態時は解錠状態信号）を読み取り、この読み取った施解錠状態信号を判別部３と記憶部４に出力している。
【００１９】
扉開閉状態信号読取手段２ｃは、扉開閉検知手段１２ａから電気錠制御盤１３に対して出力される現在の扉の開閉状態に基づく扉開閉状態信号（開扉時は開扉状態信号、閉扉時は閉扉状態信号）を読み取り、この読み取った扉開閉状態信号を判別部３と記憶部４に出力している。
【００２０】
判別部３は、状態信号読取部２から入力した各種状態信号に基づき、現在の電気錠１２や扉１１の状態を判別し、この判別結果に基づき得られる現在の電気錠１３や扉１２の状態を状態情報として記憶部４に出力している。例えば、通電状態信号読取手段２ａから施錠通電状態信号を入力した場合は、電気錠１２に対して施錠通電されたと判別する。また、施解錠状態信号読取手段２ｂから施錠状態信号を入力した場合は、電気錠１２が施錠状態であると判別する。さらに、扉開閉状態信号読取手段２ｃから閉扉状態信号を入力した場合は、扉が閉扉していると判別する。
【００２１】
記憶部４は、例えば磁気的、光学的記憶媒体若しくはＲＯＭ、ＲＡＭ等の半導体メモリで構成され、状態信号読取部２で読み取った電気錠１２の各種状態信号や判別部３から出力された電気錠１２や扉１１の状態情報を記憶している。
【００２２】
通信部５は、例えば宅内に設置されたＨＡ（Home Automation ：ホームオートメーション）機器や携帯電話などの各種外部機器との間で通信ネットワークを介して通信を行うための通信インターフェースである。この通信部５は、予め設定された所望の外部機器に対し、所定のタイミング（例えば、電気錠１２の状態が変化する毎のタイミング、予め設定された時刻のタイミング）で記憶部４に記憶された状態情報を出力している。
【００２３】
次に、図３を参照しながら、上述した第１形態の電気錠システム用アダプタの処理動作について説明する。ここでは、電気錠システム用アダプタで読み取った電気錠１２の状態情報を宅内に設置されたＨＡ機器に出力する例であり、通電状態信号（施錠通電状態信号、解錠通電状態信号）を読み取る処理、施解錠状態信号（施錠状態信号、解錠状態信号）を読み取る処理、扉開閉状態信号（開扉状態信号、閉扉状態信号）を読み取る処理についてそれぞれ説明する。
【００２４】
まず、図３（ａ）を参照しながら、通電状態信号（施錠通電状態信号、解錠通電状態信号）を読み取る処理について説明する。図３（ａ）に示すように、まず電気錠制御盤１３から電気錠１２に対して通電したことを示す通電状態信号を読み取る（ＳＴ１）。次に、読み取った通電状態信号が施錠通電状態信号であるか否かを判別する（ＳＴ２）。
【００２５】
そして、読み取った通電状態信号が施錠通電状態信号であった場合は（ＳＴ２−Ｙｅｓ）、現在電気錠１２に対して電気錠制御盤１３から施錠通電されていると判別し（ＳＴ３）、この施錠通電状態を示す状態情報を記憶した後（ＳＴ４）、この状態情報をＨＡ機器に所定のタイミングで出力する（ＳＴ５）。
これに対し、読み取った通電状態信号が施錠通電状態信号でなかった場合は（ＳＴ２−Ｎｏ）、読み取った通電状態信号が解錠通電状態信号であるか否かを判別する（ＳＴ６）。
【００２６】
また、読み取った通電状態信号が解錠通電状態信号であった場合は（ＳＴ６−Ｙｅｓ）、現在電気錠１２に対して電気錠制御盤１３から解錠通電されていると判別し（ＳＴ７）、この解錠通電状態を示す状態情報を記憶した後（ＳＴ８）、この状態情報をＨＡ機器に所定のタイミングで出力する（ＳＴ９）。
これに対し、読み取った通電状態信号が解錠通電状態信号でなかった場合は（ＳＴ５−Ｎｏ）、電気錠制御盤１３から電気錠１２に対して通電されていないと判別し（ＳＴ１０）、処理を終了する。
【００２７】
次に、図３（ｂ）を参照しながら、施解錠状態信号（施錠状態信号、解錠状態信号）を読み取る処理について説明する。図３（ｂ）に示すように、まず電気錠１２から電気錠制御盤１３に対して出力される現在の電気錠１２の施解錠状態を示す施解錠状態信号を読み取る（ＳＴ１１）。そして、読み取った施解錠状態信号が施錠状態信号であるか否かを判別する（ＳＴ１２）。
【００２８】
そして、読み取った施解錠状態信号が施錠状態信号であった場合は（ＳＴ１２−Ｙｅｓ）、現在電気錠１２が施錠状態であると判別し（ＳＴ１３）、この施錠状態を示す状態情報を記憶した後（ＳＴ１４）、この状態情報をＨＡ機器に所定のタイミングで出力する（ＳＴ１５）。
これに対し、読み取った施解錠状態信号が施錠状態信号でなかった場合は（ＳＴ１２−Ｎｏ）、読み取った施解錠状態信号が解錠状態信号であり、現在電気錠１２が解錠状態であると判別し（ＳＴ１６）、この解錠状態を示す状態情報を記憶した後（ＳＴ１７）、この状態情報をＨＡ機器に所定のタイミングで出力する（ＳＴ１８）。
【００２９】
次に、図３（ｃ）を参照しながら、扉開閉状態信号（開扉状態信号、閉扉状態信号）を読み取る処理について説明する。図３（ｃ）に示すように、まず扉開閉検知手段１２ａ（電気錠１２）から電気錠制御盤１３に対して出力される現在の扉１１の開閉状態を示す扉開閉状態信号を読み取る（ＳＴ２１）。次に、読み取った扉開閉状態信号が開扉状態信号であるか否かを判別する（ＳＴ２２）。
【００３０】
そして、読み取った扉開閉状態信号が開扉状態信号であった場合は（ＳＴ２２−Ｙｅｓ）、現在扉１１が開扉状態であると判別し（ＳＴ２３）、この開扉状態を示す状態情報を記憶した後（ＳＴ２４）、この状態情報をＨＡ機器に所定のタイミングで出力する（ＳＴ２５）。
これに対し、読み取った扉開閉状態信号が開扉状態信号でなかった場合は（ＳＴ２２−Ｎｏ）、読み取った扉開閉状態信号が閉扉状態信号であり、現在扉１１が閉扉状態であると判別し（ＳＴ２６）、この閉扉状態を示す状態情報を記憶した後（ＳＴ２７）、この状態情報をＨＡ機器に所定のタイミングで出力する（ＳＴ２８）。
【００３１】
次に、図４〜７を参照しながら、本例の第２形態の電気錠システム用アダプタ１について説明する。第２形態の電気錠システム用アダプタは、錠本体の内部に電気錠を制御する制御部を備えた既存の電気錠システム２０に配設される。
【００３２】
第２形態の電気錠システム用アダプタ１が配設される既存の電気錠システム２０について説明する。図４（ａ）に示すように、電気錠システム２０は、利用者の施解錠操作に基づく施解錠情報を取得する施解錠操作器２１と、扉２３に配設され錠本体の内部に錠前を制御する制御部を備えた電気錠装置２２とを備えて構成される。
【００３３】
施解錠操作器２１は、室外側施解錠操作器２１ａ、室内側施解錠操作器２１ｂで構成され、施解錠時に必要な施解錠情報と、室外側施解錠操作器２１ａ、室内側施解錠操作器２１ｂの何れかから施解錠操作されたことを示す施解錠操作状態信号（施錠操作状態信号、解錠操作状態信号）を電気錠装置２２に出力している。
【００３４】
室外側施解錠操作器２１ａは、扉２３や扉２３近傍の所定箇所に設けられ、例えば暗証番号入力によって施解錠操作の指示入力を行うためのテンキーや操作キー、リモコンなどの無線型キーや携帯電話から送信された施解錠情報（施解錠操作の指示入力）を読み取るための情報読取器、磁気カード，ＩＣカード，非接触型ＩＣチップやＲＦＩＤタグ（Radio Frequency Identification  Tag ）を搭載した非接触型ＩＣカードなどの各種カード状記憶媒体から施解錠情報（施解錠操作の指示入力）を読み取るカードリーダなど、利用者の施解錠操作の指示入力に基づく施解錠情報（錠前を施解錠するために必要な情報）を取得し、この施解錠情報と室外側施解錠操作器２１ａが施解錠操作されたことを示す施解錠操作状態信号を電気錠装置２２に出力している。
【００３５】
室内側施解錠操作器２１ｂは、室内の所定箇所に設けられ、利用者の施解錠操作の指示入力に基づく施解錠情報（錠前を施解錠するために必要な情報）と室内側施解錠操作器２１ｂが施解錠操作されたことを示す施解錠操作状態信号を電気錠装置２２に出力している。
【００３６】
電気錠装置２２は、図４（ｂ）に示すように、情報入力部２２ａ、状態検知部２２ｂ、記憶部２２ｃ、電気錠制御部２２ｄ、駆動機構２２ｅ、電源部２２ｆを備えて構成される。
【００３７】
情報入力部２２ａは、施解錠操作器２１との間で施解錠情報を入出力を行うための入出力インターフェースであり、各操作器２１（２１ａ，２１ｂ）からの施解錠情報を入力して電気錠制御部２２ｄに出力している。
【００３８】
状態検知部２２ｂは、例えばマイクロスイッチやリードスイッチなどの検知センサで構成され、現在の錠前の施解錠状態や扉２３の開閉状態などを検知し、この検知した情報を電気錠状態信号（施解錠状態信号、扉開閉状態信号）として記憶部２２ｃに出力している。例えば、現在錠前が施錠状態であった場合は施錠状態信号を電気錠状態信号として記憶部２２ｃに出力し、現在扉２３が開扉状態であった場合は開扉状態信号を電気錠状態信号として記憶部２２ｃに出力している。なお、状態検知部２２ｂから出力される電気錠状態信号は、錠前の施解錠や扉２３の開閉が行われて電気錠装置２２の状態が変化する度に出力される。
【００３９】
記憶部２２ｃは、例えば磁気的、光学的記憶媒体若しくはＲＯＭ、ＲＡＭ等の半導体メモリで構成され、状態検知部２２ｂからの電気錠状態信号を記憶している。また、記憶部２２ｃは、施解錠操作器２１からの施解錠情報が正当な認証情報であるか否かを判別するために用いられる認証用施解錠情報を記憶している他、電気錠装置２２を構成している各機器の機器情報、電気錠装置２２全体の制御に関する各種データを記憶している。
【００４０】
電気錠制御部２２ｄは、例えばＣＰＵやＲＯＭ、ＲＡＭなどのマイクロコンピュータで構成される。電気錠制御部２２ｄは、施解錠操作器２１からの施解錠情報と、記憶部２２ｃに予め記憶された認証用施解錠情報とを照合してその正当性を判別し、正常に認証したときのみ、現在の電気錠装置２２の状態（錠前の施解錠状態や扉２３の開閉状態）に応じて錠前を施解錠制御している。また、電気錠制御部２２ｄは、錠前の施解錠に関する施解錠情報の入出力制御の他、錠前の施解錠時に駆動機構２２ｅを駆動させるための駆動制御信号の出力、電源部２２ｆから駆動機構２２ｅへの電源供給の制御などを行っている。
【００４１】
駆動機構２２ｅは、例えばモータやソレノイドなどの駆動装置と錠前で構成され、電気錠制御部２２ｄからの駆動制御信号により錠前を施錠または解錠するべく駆動し、扉枠の係止穴に対してデッドボルトを突出（施錠時）又は引き込む（解錠時）ことにより錠前が施解錠される。
【００４２】
電源部２２ｆは、商用電源（ＡＣ１００Ｖ）を外部電源として電源の供給を受け、各部に必要な駆動電源を供給している。なお、電源部２２ｆは、扉２３の所定箇所に着脱交換可能に設けられる扉内電池ユニットで構成することもできる。
【００４３】
そして、第２形態の電気錠システム用アダプタ１は、電気錠装置２２に記憶された電気錠状態信号や施解錠操作器２１と電気錠装置２２との間で通信される施解錠操作状態信号に基づく状態信号を読み取るため、施解錠操作器２１と電気錠装置２２との間に配線２４を介して接続される。
【００４４】
次に、図５を参照しながら、本例の第２形態の電気錠システム用アダプタの構成について説明する。電気錠システム用アダプタ１は、状態信号読取部６、判別部７、記憶部８、通信部９を備えて構成される。以下、各構成要件について説明する。
【００４５】
状態信号読取部６は、施解錠操作器２１と電気錠装置２２との間で行われる施解錠操作に基づく施解錠操作状態信号や電気錠装置２２に記憶された電気錠状態信号を読み取るための入出力インターフェースであり、施解錠操作状態信号読取手段６ａ、電気錠状態信号読取手段６ｂを備えて構成される。
【００４６】
施解錠操作状態信号読取手段６ａは、施解錠操作器２１から電気錠装置２２に対して出力される施解錠操作状態信号（施錠操作状態信号、解錠操作状態信号）を読み取り、この読み取った施解錠操作状態信号を判別部７と記憶部８に出力している。
【００４７】
電気錠状態信号読取手段６ｂは、電気錠装置２２に記憶された電気錠装置２２の状態を示す電気錠状態信号を読み取り、この読み取った電気錠状態信号（施解錠状態信号、扉開閉状態信号）を判別部７と記憶部８に出力している。
【００４８】
判別部７は、施解錠操作状態信号読取手段６ａで読み取った施解錠操作状態信号と電気錠状態信号読取手段６ｂで読み取った電気錠状態信号とに基づき現在の電気錠装置２２や扉２３の状態を判別し、この判別結果に基づき得られる現在の電気錠装置２２や扉２３の状態を状態情報として記憶部８に出力している。例えば、室内側施解錠操作器２１ｂから出力された施錠操作状態信号を入力した場合は、室内側施解錠操作器２１ｂから電気錠装置２２に対して施錠操作されたと判別する。また、室外側施解錠操作器２１ａから出力された解錠操作状態信号を入力した場合は、室外側施解錠操作器２１ａから電気錠装置２２に解錠操作されたと判別する。
【００４９】
記憶部８は、例えば磁気的、光学的記憶媒体若しくはＲＯＭ、ＲＡＭ等の半導体メモリで構成され、状態信号読取部６で読み取った施解錠操作状態信号や電気錠状態信号、判別部７で状態判別された状態情報を逐次記憶している。
【００５０】
通信部９は、例えば宅内に設置されたＨＡ（Home Automation ：ホームオートメーション）機器や携帯電話などの各種外部機器との間で通信ネットワークを介して通信を行うための通信インターフェースである。この通信部９は、予め設定された所望の外部機器に対し、所定のタイミング（例えば、電気錠装置２２の状態が変化する毎のタイミング、予め設定された時刻のタイミング）で記憶部８に記憶された状態情報を出力している。
【００５１】
次に、図６、図７を参照しながら、上述した第２形態の電気錠システム用アダプタの処理動作について説明する。ここでは、電気錠システム用アダプタで読み取った電気錠装置２２の状態情報を利用者が所有する携帯電話に出力する例であり、施解錠操作状態信号（施錠操作状態信号、解錠操作状態信号）を読み取る処理、電気錠状態信号（施解錠状態信号、扉開閉情報）を読み取る処理についてそれぞれ説明する。
【００５２】
まず、図６を参照しながら、施解錠操作状態信号（施錠操作状態信号、解錠操作状態信号）を読み取る処理について説明する。図６に示すように、まず施解錠操作器２１から電気錠装置２２に対して出力された施解錠操作信号を読み取る（ＳＴ３１）。次に、読み取った施解錠操作状態信号が施錠操作状態信号であるか否かを判別する（ＳＴ３２）。
【００５３】
そして、読み取った施解錠操作状態信号が施錠操作状態信号であった場合は（ＳＴ３２−Ｙｅｓ）、読み取った施解錠操作状態信号が施錠操作状態信号であると判別し（ＳＴ３３）、この施錠操作状態信号が室外側施解錠操作器２１ａから出力されているか否かを判別する（ＳＴ３４）。
これに対し、読み取った施解錠操作状態信号が施錠操作状態信号でなかった場合は（ＳＴ３２−Ｎｏ）、読み取った施解錠操作状態信号が解錠操作状態信号であると判別し（ＳＴ３５）、この解錠操作状態信号が室外側施解錠操作器２１ａから出力されたか否かを判別する（ＳＴ３６）。
【００５４】
次に、ＳＴ３４において、読み取った施錠操作状態信号が室外側施解錠操作器２１ａからの信号であった場合は（ＳＴ３４−Ｙｅｓ）、電気錠装置２２に対して室外側施解錠操作器２１ａから施錠操作されていると判別し（ＳＴ３７）、この判別結果に基づく状態情報を記憶した後（ＳＴ３８）、この状態情報を利用者の携帯電話に所定のタイミングで出力する（ＳＴ３９）。
これに対し、読み取った施錠操作状態信号が室外側施解錠操作器２１ａからの信号でなかった場合は（ＳＴ３４−Ｎｏ）、電気錠装置２２に対して室内側施解錠操作器２１ｂから施錠操作されていると判別し（ＳＴ４０）、この判別結果に基づく状態情報を記憶した後（ＳＴ４１）、この状態情報を利用者の携帯電話に所定のタイミングで出力する（ＳＴ４２）。
【００５５】
次に、ＳＴ３６において、読み取った解錠操作状態信号が室外側施解錠操作器２１ａからの信号であった場合は（ＳＴ３６−Ｙｅｓ）、電気錠装置２２に対して室外側施解錠操作器２１ａから解錠操作されていると判別し（ＳＴ４３）、この判別結果に基づく状態情報を記憶した後（ＳＴ４４）、この状態情報を利用者の携帯電話に所定のタイミングで出力する（ＳＴ４５）。
これに対し、読み取った解錠操作状態信号が室外側施解錠操作器２１ａからの信号でなかった場合は（ＳＴ３６−Ｎｏ）、電気錠装置２２に対して室内側施解錠操作器２１ｂから解錠操作されていると判別し（ＳＴ４６）、この判別結果に基づく状態情報を記憶した後（ＳＴ４７）、この状態情報を利用者の携帯電話に所定のタイミングで出力する（ＳＴ４８）。
【００５６】
次に、図７を参照しながら、電気錠状態信号（施解錠状態信号、扉開閉状態信号）を読み取る処理について説明する。図７に示すように、まず電気錠装置２２からの電気錠状態信号を読み取る（ＳＴ５１）。次に、読み取った電気錠状態信号に含まれる施解錠状態信号が施錠状態信号であるか否かを判別する（ＳＴ５２）。
【００５７】
そして、施解錠状態信号が施錠状態信号であった場合は（ＳＴ５２−Ｙｅｓ）、読み取った施解錠状態信号が施錠状態信号であると判別し（ＳＴ５３）、電気錠状態信号に含まれる扉開閉状態信号が開扉状態信号であるか否かを判別する（ＳＴ５４）。
これに対し、施解錠状態信号が施錠状態信号でなかった場合は（ＳＴ５２−Ｎｏ）、読み取った施解錠状態信号が解錠状態信号であると判別し（ＳＴ５５）、電気錠状態信号に含まれる扉開閉状態信号が開扉状態信号であるか否かを判別する（ＳＴ５６）。
【００５８】
次に、ＳＴ５４において、扉開閉状態信号が開扉状態信号であった場合は（ＳＴ５４−Ｙｅｓ）、電気錠装置２２の錠前が施錠した状態で、且つ扉２３が開扉状態であると判別し（ＳＴ５７）、この判別結果に基づく状態情報を記憶した後（ＳＴ５８）、この状態情報を利用者の携帯電話に所定のタイミングで出力する（ＳＴ５９）。
これに対し、扉開閉状態信号が開扉状態信号でなかった場合は（ＳＴ５４−Ｎｏ）、電気錠装置２２の錠前が施錠した状態で、且つ扉２３が閉扉状態であると判別し（ＳＴ６０）、この判別結果に基づく状態情報を記憶した後（ＳＴ６１）、この状態情報を利用者の携帯電話に所定のタイミングで出力する（ＳＴ６２）。
【００５９】
次に、ＳＴ５６において、扉開閉状態信号が開扉状態信号であった場合は（ＳＴ５６−Ｙｅｓ）、電気錠装置２２の錠前が解錠した状態で、且つ扉２３が開扉状態であると判別し（ＳＴ６３）、この判別結果に基づく状態情報を記憶した後（ＳＴ６４）、この状態情報を利用者の携帯電話に所定のタイミングで出力する（ＳＴ６５）。
これに対し、扉開閉状態信号が開扉状態信号でなかった場合は（ＳＴ５６−Ｎｏ）、電気錠装置２２の錠前が解錠した状態で、且つ扉２３が閉扉状態であると判別し（ＳＴ６６）、この判別結果に基づく状態情報を記憶した後（ＳＴ６７）、この状態情報を利用者の携帯電話に所定のタイミングで出力する（ＳＴ６８）。
【００６０】
このように、上述した第１形態の電気錠システム用アダプタは、電気錠１２とこの電気錠１２を制御する電気錠制御盤１３とで構成される既存の電気錠システム１０に配設され、電気錠１２と電気錠制御盤１３との間、扉開閉検知手段１２ａと電気錠制御盤１３との間で通信される通電状態、施解錠状態、扉開閉状態を示す通電状態信号、施解錠状態信号、扉開閉状態信号を読み取り、これら状態信号に基づき現在の電気錠１２や扉１１の状態を判別し、この判別結果を状態情報として外部出力している。
これにより、電気錠システム全体の開発をすることなく、既存の電気錠システム２０から現在の電気錠１２や扉１１の状態情報を取得して外部出力でき、且つこの状態情報を利用して外部機器の各種制御を行うことができる。
【００６１】
また、第２形態の電気錠システム用アダプタは、電気錠装置２２と電気錠装置２２を施解錠操作する施解錠操作器２１とで構成される既存の電気錠システム２０に配設され、施解錠操作器２１と電気錠装置２２との間で通信される施解錠操作信号の状態を示す施解錠操作状態信号と電気錠装置２２に記憶される電気錠状態信号（施解錠状態信号、扉開閉状態信号）を読み取り、この施解錠操作状態信号と電気錠状態信号とに基づき現在の電気錠装置２２や扉２３の状態を判別し、この判別結果を状態情報として外部出力している。
これにより、電気錠システム全体の開発をすることなく、既存の電気錠システム２０から現在の電気錠装置２２や扉２３の状態情報を取得して外部出力でき、且つこの状態情報を利用して外部機器の各種制御を行うことができる。
【００６２】
ところで、上述した電気錠システム用アダプタ１は、第１形態における電気錠１２と電気錠１２を制御する電気錠制御盤１３とで構成される電気錠システム１０や、第２形態における施解錠操作器２１と電気錠制御盤１３の機能を備えた電気錠装置２２とで構成される電気錠システム２０に配設した例で説明したが、錠前の施解錠状態や扉の開閉状態を外部に出力する機能を有さない既存の電気錠システムに配設することで、上述した第１、２形態に配設した場合と同様の効果を奏する。
【００６３】
また、上述した第２形態では、電気錠装置２２と室外側施解錠操作器２１ａとが別体構成である電気錠システム２０として説明したが、例えば特許文献２で開示される電気錠システムのように、電気錠装置２２に施解錠情報を取得する機能（本形態の室外側施解錠操作器２１ａを指す）を備えた電気錠システムにも採用することができる。
【図面の簡単な説明】
【００６４】
【図１】本発明に係る第１形態の電気錠システム用アダプタを採用した電気錠システムの概略構成図である。
【図２】本発明に係る第１形態の電気錠システム用アダプタの概略ブロック図である。
【図３】（ａ）〜（ｃ）  同電気錠システム用アダプタの処理動作を説明するためのフローチャート図である。
【図４】（ａ）  本発明に係る第２形態の電気錠システム用アダプタを採用した電気錠システム概略構成図である。  （ｂ）  上記電気錠システムにおける電気錠装置の概略ブロック図である。
【図５】本発明に係る第２形態の電気錠システム用アダプタの概略ブロック図である。
【図６】同電気錠システム用アダプタの処理動作を説明するためのフローチャート図である。
【図７】同電気錠システム用アダプタの処理動作を説明するためのフローチャート図である。
【符号の説明】
【００６５】
１  電気錠システム用アダプタ
２，６  状態信号読取部
２ａ  通電状態信号読取手段
２ｂ  施解錠状態信号読取手段
２ｃ  扉開閉状態信号読取手段
３，７  判別部
４，８  記憶部
５，９  通信部
６ａ  施解錠操作状態信号読取手段
６ｂ  電気錠状態信号読取手段
１０，２０  電気錠システム
１１，２３  扉
１２  電気錠
１２ａ  扉開閉検知手段
１３  電気錠制御盤
１４  通電金具
１５，２４  配線
２１  施解錠操作器
２１ａ  室外側施解錠操作器
２１ｂ  室内側施解錠操作器
２２  電気錠装置
２２ａ  情報入力部
２２ｂ  状態検知部
２２ｃ  記憶部
２２ｄ  電気錠制御部
２２ｅ  駆動機構
２２ｆ  電源部
【図１】
2009138464.tif 000003
【図２】
2009138464.tif 000004
【図３】
2009138464.tif 000005
【図４】
2009138464.tif 000006
【図５】
2009138464.tif 000007
【図６】
2009138464.tif 000008
【図７】
2009138464.tif 000009